(57)【要約】【課題】閃光装置のコンデンサの充電状況を、混乱を招くことなく、直感的に容易に認識できるようにする。【解決手段】閃光装置のコンデンサの充電状態を検出し、ファインダ内又は情報表示パネル等の情報表示領域７０に表示される露出レベルを表示するための露出インジケータ７２を、コンデンサの充電状態のみに依存する充電開始から充電完了に至るまでの一連の充電経過を表示するための表示部として用いる。【選択図】図２
2008309840.tif 000002
【特許請求の範囲】
【請求項１】
撮影に関する情報を表示する表示部と、
閃光装置を発光させるためのコンデンサの充電状態を検出する検出部と、
前記コンデンサの充電状態のみに依存する充電開始から充電完了に至るまでの一連の充電経過を、前記検出手段の検出結果に基づいて前記表示部に表示させるよう制御する制御部と、
を備えることを特徴とするカメラシステム。
【請求項２】
前記表示部はファインダを介して視認可能なように設けられていることを特徴とする請求項１に記載のカメラシステム。
【請求項３】
前記表示部としてカメラ本体に設けられた画像又は情報を表示するための表示装置の一部を用いることを特徴とする請求項１又は２に記載のカメラシステム。
【請求項４】
前記表示部は直線的に配列された複数の表示セグメントを有し、
前記制御部は前記充電経過に従って、一端側に位置する表示セグメントから順次隣接する表示セグメントを点灯させ、充電完了で他端側に位置する表示セグメントまでの全ての表示セグメントを点灯させることを特徴とする請求項１〜３の何れか一項に記載のカメラシステム。
【請求項５】
前記複数の表示セグメントを互いに隣接するように複数にグループ分けし、該グループ毎に異なる表示色で点灯させることにより、前記充電経過を表示色でも識別可能としたことを特徴とする請求項４に記載のカメラシステム。
【請求項６】
前記表示部は露出レベルを表示する表示部と兼用されることを特徴とする請求項１〜５の何れか一項に記載のカメラシステム。
【請求項７】
前記制御部は前記コンデンサの充電時には前記充電経過を、それ以外の時には露出レベルを前記表示部に表示することを特徴とする請求項６に記載のカメラシステム。
【請求項８】
前記制御部は、前記充電時には、前記露出レベルに関する特定の表示を消灯することを特徴とする請求項７に記載のカメラシステム。
【請求項９】
前記制御部は前記充電経過の表示中であっても、任意のタイミングで、露出レベルの表示に切り換えることを特徴とする請求項６〜８の何れか一項に記載のカメラシステム。
【請求項１０】
前記制御部は前記充電経過の表示中は、当該充電経過の表示である旨を示す表示を行うことを特徴とする請求項６〜９の何れか一項に記載のカメラシステム。
【請求項１１】
前記表示部は前記コンデンサに電力を供給するバッテリの残量を表示する表示部と兼用されることを特徴とする請求項１〜６の何れか一項に記載のカメラシステム。
【請求項１２】
撮影に関する情報を表示する表示部と、
閃光装置を発光させるためのコンデンサの充電状態を示す充電状態情報を該閃光装置から受け取り、該コンデンサの充電状態のみに依存する充電開始から充電完了に至るまでの一連の充電経過を前記充電状態情報に基づいて前記表示部に表示させるよう制御する制御部と、
を備えることを特徴とするカメラ。
【請求項１３】
前記表示部は直線的に配列された複数の表示セグメントを有し、
前記制御部は前記充電経過に従って、一端側に位置する表示セグメントから順次隣接する表示セグメントを点灯させ、充電完了で他端側に位置する表示セグメントまでの全ての表示セグメントを点灯させることを特徴とする請求項１２に記載のカメラ。
【請求項１４】
前記表示部は露出レベルを表示する表示部と兼用されることを特徴とする請求項１２又は１３に記載のカメラ。
【発明の詳細な説明】
【技術分野】
【０００１】
本発明は、カメラ及び電子放電閃光装置（以下、単に閃光装置という）等を備えるカメラシステム、及び内蔵の閃光装置を備え又は外付けの閃光装置が着脱可能に装着されるカメラに関する。
【背景技術】
【０００２】
写真撮影においては、夜間や室内での撮影時等に、十分な露出を得るため、スピードライトやエレクトロニック・フラッシュ等とも呼ばれる閃光装置が用いられる。一般的な閃光装置は、キセノンガス等を封入したガラス管の内部電極に対し、メインコンデンサに充電されたアーク放電しない程度の高電圧を印加し、シャッタと連動させて外部トリガ電極にトリガ電圧を印加することにより管内のガスをイオン化させ、急激にインピーダンスを低下させて放電させることで、瞬間的にガスを発光させて照明する装置である。
【０００３】
この種の閃光装置では、閃光の後（又は電源投入の後）、次の閃光（又は最初の閃光）を開始するまでには、コンデンサの充電完了を待つ必要がある。このため、撮影者に充電の完了、即ち閃光を用いた撮影が可能であるか否かを知らせるため、充電完了時にカメラに設けられた専用のランプを点灯させ、又は消灯させるようにしたものが知られている。充電途中では、該ランプを点滅するようにしたものもあるが、充電の程度によってそのランプ点滅表示を変化させるようなことは行われていなかった。。
【０００４】
このため、このようなランプを用いた表示方式では、後どのくらい待てば、充電が完了するのか、現在がどのような充電状態にあるのかを知ることができず、なるべく早く撮影を開始したい場合には、ランプの表示が完了を示すまでの間、常にその表示を確認する必要があり、あるいは、いつ頃充電が完了するのかを予測できないため、フレーミングにどのくらい時間を割けるのかが分からないためフレーミングに集中できず、また充電が完了した瞬間に訪れたシャッタチャンスを所望のフレーミングで撮影する機会を逃してしまう場合がある等、使い勝手が悪いという問題があった。
【０００５】
ここで、充電の過程を撮影者に知らせるようにした従来技術としては、下記特許文献１に開示されているように、カメラの電源又は閃光装置のコンデンサの充電量（充電の度合い）を数値で表示するようにしたものが知られている。この技術では、フル充電を数値「５」又は「１０」として、充電の過程を「０」〜「５」又は「０」〜「１０」の数値で表示するようにしている。しかし、この従来技術では、現時点での充電量を単に数値で表示するものであるため、撮影者は充電完了の数値が「５」又は「１０」であることを予め認識しておく必要があるという煩わしさがあると共に、そのフル充電時の数値に対して、現在の数値がどのような関係にあるのかを、直感的に容易に認識することができない場合があるという問題がある。
【０００６】
また、下記特許文献２には、閃光装置のコンデンサの現時点での充電容量に基づいて、どのくらいの光量（露光レベル）が得られ、フル充電まで充電すればどのくらいの光量が得られるのかをバー表示する技術が開示されている。また、現時点でのコンデンサの充電容量とフル充電したときとの調光可能範囲を表示するという技術の開示もされている。しかしながら、この従来技術では、周囲の輝度によってフル充電時におけるレベル表示位置（即ち、充電完了を示すための表示位置）が変わってくるものであり、単純に閃光装置のコンデンサの充電状況のみを知りたい撮影者にとっては、表示方法が複雑であり、混乱を招くおそれがあるという問題がある。
【０００７】
本発明はこのような点に鑑みてなされたものであり、その目的とするところは、閃光装置のコンデンサの充電状況を、混乱を招くことなく、直感的に容易に認識できるようにすることである。
【特許文献１】特開２００２−２１４６８０号公報
【特許文献２】特開平９−６１９０９号公報
【発明の開示】
【課題を解決するための手段】
【０００８】
本発明によると、撮影に関する情報を表示する表示部と、閃光装置を発光させるためのコンデンサの充電状態を検出する検出部と、前記コンデンサの充電状態のみに依存する充電開始から充電完了に至るまでの一連の充電経過を前記検出手段の検出結果に基づいて前記表示部に表示させるよう制御する制御部と、を備えるカメラシステムが提供される。この場合において、前記表示部としては、直線的に配列された複数の表示セグメントを有し、前記制御部は一端側に位置する表示セグメントから充電経過に従って順次隣接する表示セグメントを点灯させ、充電完了で他端側に位置する表示セグメントまでの全ての表示セグメントを点灯させるようにできる。このような複数の表示セグメントを有する表示部として、露出レベルを表示するための表示部を兼用して用いることができる。
【発明の効果】
【０００９】
本発明では、コンデンサの充電状態のみに依存する充電開始から充電完了に至るまでの一連の充電経過を表示させるようにしたので、撮影者は充電状況を、混乱を招くことなく、直感的に容易に認識することができるようになるという効果がある。特に、上述したような複数の表示セグメントを有する表示部を用いた場合には、現在の充電状態や後どのくらいで充電完了に至るかを、更に直感的に容易に認識することができるようになる。また、カメラが露出レベルを表示するための表示部を有している場合に、これと充電経過の表示を兼用するようにすれば、充電経過を表示する表示部を別途設ける必要がなくなり、本充電経過の表示に伴うコストの上昇を抑制することもできる。
【発明を実施するための最良の形態】
【００１０】
以下、本発明の実施形態について、図面を参照して詳細に説明する。
【００１１】
〔全体構成〕
図１は本発明の実施形態に係るカメラ及びスピードライト（閃光装置）を備えるカメラシステムの概略構成を模式的に示す側断面図である。なお、カメラシステムには、カメラを情報処理装置（表示装置を有するパーソナルコンピュータ等）に有線又は無線接続して、情報処理装置によりカメラの一部の機能を制御したり、カメラでの撮影画像（静止画や動画（リアルタイム動画を含む））を情報処理装置に転送して、何らかの処理を行ったり、情報処理装置の表示装置に表示させるような場合には、当該情報処理装置も含まれる。
【００１２】
この実施形態のカメラは、主として静止画像を撮影する一眼レフ方式のデジタルカメラである。但し、本発明を適用可能なカメラとしては、一眼レフ方式でなくてもよく、またフィルム式カメラであってもよい。さらに、カメラ機能付きの携帯端末（携帯電話、ＰＤＡ等）、その他の撮影機能を有する装置であってもよい。なお、図１に示す実施形態のカメラは、内蔵のスピードライトを備えておらず、外付けのスピードライトを装着するタイプのカメラであるものとして説明するが、内蔵のスピードライドを備えたタイプのカメラであってもよい。
【００１３】
図１において、カメラ１は、カメラ本体２及びカメラ本体２に交換可能に装着される撮影レンズ３を備えて構成されている。撮影レンズ３は、レンズマウント２０を介して、カメラ本体２に装着される。なお、撮影レンズ３は交換可能なものでなく、カメラ本体２に一体的に固定されたものであってもよい。カメラ本体２の上部には、ファインダ４が一体的又は交換可能に取り付けられている。ファインダ４の上部には、後述するスピードライト５を着脱可能に取り付けるためのライトマウント４０が設けられている。
【００１４】
カメラ本体２の内部には、ＣＣＤあるいはＣＭＯＳ等の撮像素子２１が取り付けられている。撮像素子２１は、撮像面に結像される被写体の像を画像信号に変換して出力する。なお、撮像素子２１の前面（撮影レンズ３側）には、赤外光をカットするための赤外カットフィルタ、光学的ローパスフィルタ、撮像面を保護するための保護ガラス等の光学部材２２が設けられている。
【００１５】
撮像素子２１は、電気的な制御により投影される被写体の像の露光時間を調節するための電子シャッタ（機能）を備えている。また、撮像素子２１の前面側には、遮光部材を機械的に駆動して露光時間を調節するための公知のメカニカルシャッタ２３が設けられている。
【００１６】
ファインダ４は、撮影レンズ３や後述するクイックリターンミラー２４等を介して形成される被写体の光学像を目視観察するための光学式のファインダであり、フォーカシングスクリーン（焦点板）４１、ペンタ（ダハ）プリズム４２、測光素子４３、測光光学系４４、接眼部（接眼レンズ系）４５等を備えて構成されている。
【００１７】
ファインダ４内には、フォーカスエリアに対応したエリアマークやその他の情報をペンタプリズム４２内に供給し、これらの情報等を撮影者がファインダ４の観察窓を介して撮影領域内で重畳的に視認可能とするための第１ファインダ内表示装置４６が設けられている。また、同じくファインダ４内には、露出レベルを表示するための露出インジケータや撮影に関する情報等を、撮影者がファインダ４の観察窓を介して撮影領域の外側（例えば、下側）で視認可能とするための第２ファインダ内表示装置４７も設けられている。これらの第１及び第２ファインダ内表示装置４６、４７としては、例えば、セグメント方式の液晶表示装置が用いられる。なお、第１及び第２ファインダ内表示装置４６、４７としては、複数の発光素子（ＬＥＤ等）を備える表示装置を用いてもよい。
【００１８】
図２は、第１及び第２ファインダ内表示装置４６、４７により表示されるファインダ内表示の一例を示す図である。同図において、６０は撮像領域であり、撮影領域６０は撮影レンズ３を介した像が表示される領域である。撮影領域６０内には第１ファインダ内表示装置４６によって各種のマーク、その他の情報等が被写体の像に対して重畳的に表示される。同図では、中央フォーカスエリア（マーク）６１が重畳的に表示されている様子が示されている。
【００１９】
図２において、撮影領域６０の下側には、第２ファインダ内表示装置４７による情報表示領域（情報表示バー）７０が配置されている。この情報表示領域７０には、同図に示されているように、露出状態（露出レベル）を表示する露出インジケータ７２等の各種の情報が表示される。この情報表示領域７０に表示される情報としては、これら以外に、ピント表示、シャッタスピード、絞り値、調光補正マーク、露出補正マーク、記録可能残コマ数、ＰＣ接続中マーク、バッテリ残量等を例示することができる。
【００２０】
ファインダ４内の情報表示領域７０に表示される露出インジケータ７２は、最適露出値との関係で現在の露出値がアンダーぎみであるか、オーバーぎみであるか、若しくは適正であるかを示す表示である。
【００２１】
この露出インジケータ７２は、同図に示されているように、直線的（横一列）に配置された複数の表示セグメント７３を有し、同図の例では、矩形状の１４個の表示セグメントと、両脇に三角形の表示セグメントをそれぞれ有する配列となっている。これらの表示セグメント７３の一端側（同図で撮影領域６０を上側に情報表示領域７０を下側として見て右側）の上部には、アンダー露出側であることを示すマイナスマーク７４が、他端側（同図で同様に見て左側）の上部には、オーバー露出側であることを示すプラスマーク７５が配置されている。
【００２２】
表示セグメント７３の中央部には、適正露出を示すセンタマーク７６が配置されている。この露出インジケータ７２は、後述するように、スピードライト５の充電開始から充電完了までの一例の充電経過を表示するインジケータ又はスピードライト５が備えるバッテリの残量表示を行うインジケータとしても用いられる。
【００２３】
図１に戻り、カメラ本体２の背面には、撮像素子２１に結像される画像を表示可能なドットマトリックス表示方式の画像表示用の液晶パネルからなる画像表示モニタ（背面モニタ）２８が設けられている。画像表示モニタ２８には、画像（静止画、動画）の他に、カメラ１が備える後述するメイン制御装置（図５の符号１０１参照）による制御の下、各種のメニュー画面や選択画面、その他の撮影に関する情報等も表示される。
【００２４】
カメラ本体２内において、撮像素子２１の前面側（メカニカルシャッタ２３よりも更に前面側）には、公知のクイックリターンミラー２４（メインミラー２５とサブミラー２６）が回動可能に軸支されている。
【００２５】
メインミラー２５はその一部（中央部近傍）がハーフミラー、その余の部分が全反射ミラーとなっており、クイックリターンミラー２４がミラーダウン状態では、メインミラー２５のハーフミラー部を透過した一部の光は、サブミラー２６で反射されるようになっている。サブミラー２６で反射された光は、不図示の光学系を介して、位相差検出方式の不図示の自動焦点（ＡＦ）検出装置２７に入射される。
【００２６】
クイックリターンミラー２４がミラーアップ状態に切り換えられると、撮影レンズ３からの光はメカニカルシャッタ２３を介して撮像素子２１に入射される。
【００２７】
撮影レンズ３は、レンズ鏡筒内部に、メインレンズ３１、ズームレンズ（焦点距離調節レンズ）やフォーカスレンズ（焦点位置調節レンズ）等を含む複数のレンズからなるレンズ系３２、固定レンズ３３、及び絞り３４等を備えて構成されている。ズムーレンズ及びフォーカスレンズは、それぞれ撮影レンズ３の光軸に沿う方向に移動可能に取り付けられている。
【００２８】
フォーカスレンズは、カメラ本体２内のメイン制御装置からの制御信号に基づいて、駆動モータ（アクチュエータ）３５により光軸に沿う方向の位置が変化される。
【００２９】
カメラ本体２の上部又は背面には、図示は省略するが、撮影者が指示内容を手動入力するための各種のスイッチ、押しボタン、ダイヤル、十字キー等の操作部が配置されている。操作部としては、電源をオン／オフする電源ダイヤル、レリーズボタン、コマンドダイヤル、メニューボタン、項目選択用十字キー、ＯＫボタン（決定ボタン）等が設けられている。なお、この操作部としては、後述するように、露出インジケータ７２の表示内容を切り換えるための表示切換ボタン等も設けられている。
【００３０】
また、カメラ本体２の上部（例えば、右肩部分）には、図示は省略するが、撮影モード等を含む各種の設定内容を表示するためのセグメント表示方式の小型液晶表示装置からなる情報表示パネル（図１では不図示）が配置されている。
【００３１】
図３にこの情報表示パネルの表示の一例が示されている。図３において、情報表示パネル２９の情報表示領域８０内には、露出状態（露出レベル）を示す露出インジケータ８２、撮影モード表示８７、ＡＦエリア表示８８、撮影コマ残数表示８９等の各種の情報が表示される。
【００３２】
露出インジケータ８２は、複数の表示セグメント８３（同図では１４個）、マイナスマーク８４、プラスマーク８５、及びセンタマーク８６等から構成されている。露出インジケータ８２は、図２に示した第２ファインダ内表示装置４７による情報表示領域７０に表示される露出インジケータ７２と同様であるので、その説明は省略する。なお、図３の表示セグメント８３、マイナスマーク８４、プラスマーク８５、センタマーク８６は、図２の表示セグメント７３、マイナスマーク７４、プラスマーク７５、センタマーク７６にそれぞれ対応する。
【００３３】
撮影モード表示８７は、現在設定されている撮影モードを表示するものであり、同図では、プログラムモードであることを示す「Ｐ」が表示されている。マニュアルモードである場合には「Ｍ」が表示される等、他のモードである場合にはそれを表現するイニシャルが表示される。ＡＦエリア表示８８は撮影領域内に設定されている複数のフォーカス検出位置を示している。同図では、十字マークで示す位置がフォーカス検出位置であり、撮影領域内でのおおよその位置を知ることができる。撮影残コマ数表示８９は、装着されている撮影画像記録用の記録媒体（メモリカード等）の残記憶容量に基づいて、今後何枚の写真撮影が可能かを表示するものであり、同図では今後１２５枚の写真撮影が可能であることを示している。
【００３４】
この情報表示パネル２９には、これらの情報の他、撮影者による設定等に応じて、シャッタスピード、露出補正値、調光補正値、ＩＳＯ感度、バッテリ残量表示、閃光モード、画質モード、画像サイズ、連写可能コマ数、セルフタイマモード表示、リモコンモード表示、絞り値、ＰＣ接続中マーク、ＡＦモード表示、測光モード表示等の情報も表示される。なお、この情報表示パネル８０によるこれらの表示は、撮影者が所定のカスタムメニューで選択操作を行うことにより、任意に表示／非表示を選択することができるようになっている。
【００３５】
〔スピードライト（閃光装置）の構成〕
次に、スピードライト５の構成について、図１及び図４を参照して説明する。図４は、スピードライト５の充電（蓄電）制御系を示す回路図である。スピードライト５は、外付けの閃光装置であり、ファインダ４の上部に設けられたライトマウント４０を介して、カメラ１（ファインダ４）に着脱可能に装着される。ライトマウント４０は、図１に示すように、スピードライト５を機械的に固定する機構の他、スピードライト５をカメラ１に電気的に接続するための接続端子を備えている。
【００３６】
スピードライト５は、キセノンランプ５０、リフレクタ（反射板）５１、フレネルレンズ５２、電池等の閃光用バッテリ（図１では不図示）等を概略備えて構成されており、閃光用バッテリから電力を供給して、キセノンランプ５０を発光させることにより、リフレクタ５１及びフレネルレンズ５２を介して、被写体を照明するための閃光を発する装置である。
【００３７】
スピードライト５は、図４に示すように、電気的又は電子的回路として、ライト制御部５３、コンデンサ５４、閃光用バッテリ（電源）５５、昇圧回路５６、発光制御回路５７、分圧回路５８、複数のダイオード５９等を備えて構成されている。ライト制御部５３は、マイクロコンピュータ等から構成され、カメラ本体２が備えるメイン制御装置１０１とライトマウント４０の電気的接点を介して通信可能に接続され、メイン制御装置１０１からの充電開始信号ＳＧ１、発光信号ＳＧ２等に基づいて、コンデンサ５４の充電やキセノンランプ５０の発光を制御するとともに、コンデンサ５４の充電状態をメイン制御装置１０１に供給する等の処理を行う。
【００３８】
閃光用バッテリ５５からの電力は、昇圧回路５６及びダイオード５９を介してコンデンサ５４に供給され、ライト制御部５３が昇圧回路５６を制御することにより、コンデンサ５４に対する充電の開始及び停止が制御される。コンデンサ５４の充電状態（充電量）は、複数の抵抗を備える分圧回路５８を介してライト制御部５３でモニタされるようになっており、ライト制御部５３は、これを充電状態情報ＣＳ１としてメイン制御装置１０１へ供給する。
【００３９】
ライト制御部５３は、メイン制御装置１０１からの発光信号ＳＧ２に応じて、発光制御回路５７を介してキセノンランプ５０を発光させる。なお、分圧回路５８からのアナログ信号は、不図示のＡ／Ｄ変換器を介してデジタル信号に変換されてライト制御部５３に取り込まれ、ライト制御部５３からの昇圧回路５６及び発光制御回路５７への制御信号は、それぞれ不図示のＡ／Ｄ変換器を介してアナログ信号に変換されて供給される。
【００４０】
〔カメラの制御系の構成〕
図５は本実施形態に係るカメラの制御系の概略構成を示すブロック図である。同図において、１０１はマイクロコンピュータ等によって構成されるメイン制御装置（制御マイコン）であり、後述する各ブロックから出力される信号の入力を受けて所定の演算を行い、演算結果に基づいて制御信号を各ブロックへ出力する。なお、このメイン制御装置１０１を含む各ブロックであって、電源を必要とするものには、不図示のカメラ用バッテリ（電池）から電力が供給されるようになっている。
【００４１】
ＳＷ１は上述した電源ダイヤルの回転位置に連動してオン／オフする電源スイッチ（メインスイッチ）である。ＳＷ２は上述したレリーズボタンを半押し位置まで押下することによりオンし、該レリーズボタンの半押し位置から押し込みを解除するとオフする半押しスイッチである。ＳＷ３は上述したレリーズボタンを全押し位置まで押下することによりオンし、該レリーズボタンの全押し位置からの押し込みを解除するとオフする全押しスイッチである。
【００４２】
ＳＷ４は上述した露出インジケータ７２の表示内容（露出表示、充電経過表示等）を切り換えるための表示切換ボタンの押し込みによりオンし、該露出表示ボタンの押し込みの解除によりオフする表示切換スイッチである。ＳＷ５，ＳＷ６は上述したコマンドダイヤルの回転によりオン／オフするスイッチであり、該コマンドダイヤルの回転方向の判別に使用する。
【００４３】
撮像素子２１は、撮影レンズ３を透過した被写体光を受光して画像信号（蓄積電荷としてのアナログ信号）を出力する。撮像素子２１からの画像信号は、Ａ／Ｄ変換回路１０３に供給され、ゲイン調整などの処理が行われた後に、デジタル信号に変換され、画像処理回路１０５に送られる。タイミング回路１０４は、撮像素子２１を駆動するタイミング信号及びＡ／Ｄ変換回路１０３に駆動するタイミング信号を出力する。
【００４４】
画像処理回路１０５は、ＡＳＩＣ（Application Specific Integrated Circuit）等で構成され、デジタル信号である原画像データに対してホワイトバランス（ＷＢ）調整、輪郭補償、ガンマ補正などの画像処理を行うとともに、前述のＡ／Ｄ変換回路１０３から出力されるデジタル信号の原画像データを後述のバッファメモリ１０６へ出力する。また原画像データを画像処理した後に、所定の形式で圧縮する圧縮処理、圧縮されたデータを伸長する伸長処理等を行う。さらに圧縮処理後の画像データを後述する記録媒体１０７へ出力する。
【００４５】
バッファメモリ１０６は、原画像データや圧縮処理後の圧縮画像データを一時的に格納するためのメモリである。記録媒体１０７はフラッシュメモリ等から構成されるメモリカード等であって、カメラ本体２に設けられた不図示のスロットに交換可能に装着される。
【００４６】
表示駆動回路１０８は、入力された画像信号（スルー画像や、記録媒体１０７に記録された画像の再生画像など）を画像表示モニタ２８に出力して、当該画像を表示させるために画像表示モニタ２８を駆動する回路である。また、画像表示モニタ２８には、メイン制御装置１０１からの制御に基づいて、表示駆動回路１０８を介して、各種のメニュー表示や撮影に関する情報も表示される。情報表示パネル２９は、メイン制御装置１０１による制御の下、不図示の表示駆動回路を介して、上述の図３を参照して説明したような各種の情報を表示する。
【００４７】
測光装置１１０は、測光素子４３からの出力を輝度値に換算して、メイン制御装置１０１に供給する。メイン制御装置１０１はこの輝度値情報と、撮影レンズ３内のレンズ制御部から送られるレンズデータ、及び現在設定されている絞り値及びシャッタスピード等に基づいて、現在の露出値及び最適露出値を算出する。算出された現在の露出値及び最適露出値は、撮影者による露出調整又は確認のため、情報表示パネル２９及び第２ファインダ内表示装置４７を介して、上述した露出インジケータ（図２、図３参照）として表示される。
【００４８】
シャッタ駆動回路１１２は、メカニカルシャッタ２３の先幕及び後幕の保持並びにそれぞれの解除を制御する。モータ駆動回路１１４は、シーケンスモータ１１５の回転を制御する。シーケンスモータ１１５はクイックリターンミラー２４のアップ／ダウン、絞り３４の絞り込み及びその開放、メカニカルシャッタ２３のチャージ等を行う。
【００４９】
絞り位置検出装置１１６は、シーケンス駆動装置により絞り３４が絞り込まれるときの絞りの位置をパルスとして検出して、メイン制御装置１０１に供給する。自動焦点検出装置２７は、撮影レンズ３による焦点位置の調節状態を検出してメイン制御装置１０１に供給する。レンズ駆動装置３５は、メイン制御装置１０１による制御の下、撮影レンズ３のフォーカスレンズを撮影レンズ３の光軸ＡＸ方向に進退駆動し、撮影レンズ３の焦点位置を調節する。
【００５０】
〔撮影処理及び充電経過表示処理〕
次に、図６〜図８に示すフローチャートを参照して、撮影時におけるスピードライトの発光のための充電、充電経過の表示、発光等についての処理を説明する。図６は静止画の撮影に関する処理を示すフローチャート、図７はスピードライトの充電処理に関する処理を示すフローチャート、図８は充電経過表示中に露出を変更する操作があった場合の処理を示すフローチャートである。
【００５１】
まず、図６を参照する。カメラ１に外付けのスピードライト５がライトマウント４０を介して装着完了した後（Ｓ１１）、撮影者による電源ダイヤルの操作により、メインスイッチＳＷ１がオンされると（Ｓ１２）、スピードライト５を発光させて撮影を行う閃光モードに設定されているか否かの判断を行う（Ｓ１３）。
【００５２】
なお、カメラ１が内蔵スピードライトを備えており、該内蔵スピードライトを用いて撮影を行う場合には、同図に点線で示すように、該内蔵スピードライトの発光準備（充電開始可能な状態となるまでの初期化処理）が完了した後（Ｓ１１’）、Ｓ１３に進むことになる。なお、上述した通り、ここでは、説明を簡単にするため、外付けスピードライト５を用いて撮影する場合についての説明とし、内蔵スピードライトを用いて撮影する場合の処理については説明を省略する。但し、内蔵スピードライトを用いて撮影する場合も、基本的に同様の処理がなされる。
【００５３】
Ｓ１２で、メインスイッチＳＷ１がオンされると、図外の初期化処理等が行われ、この初期化処理では、カメラ１を静止画撮影用のモード（静止画撮影モード）に設定するとともに、図２に示したように、第２ファインダ内表示装置４７によって情報表示領域７０に露出インジケータ７２を表示し、また、図３に示したように、情報表示パネル２９にも同様に露出インジケータ８２を表示する処理を含む各種の処理が行われる。なお、外付けのスピードライト５に電源スイッチがある場合には、該電源スイッチはオンに設定されているものとする。
【００５４】
Ｓ１３では、スピードライト５を発光させて撮影を行う閃光モードであるか、スピードライト５を発光させずに撮影を行う通常モード（非閃光モード）であるかを判断し、閃光モードでないと判断した場合（Ｎの場合）には、現在設定されているシャッタスピードや絞りの設定等に基づいて、第２ファインダ内表示装置４７による露出インジケータ７２、及び情報表示パネル２９の露出インジケータ８２に露出表示を行う（Ｓ１８）。なお、以下では、第２ファインダ内表示装置４７による露出インジケータ７２の表示内容と、情報表示パネル２９による露出インジケータ８２の表示内容は同様であるものとし、第２ファインダ内表示装置４７による露出インジケータ７２の表示についてのみの説明とする。
【００５５】
Ｓ１８での露出表示後、レリーズスイッチＳＷ３がオン、即ち、レリーズボタン全押しされるまで待機し（Ｓ１９）、オンされた場合（Ｙの場合）には、クイックリターンミラー２４のミラーアップ、メカニカルシャッタ２３の作動、クイックリターンミラー２４のミラーダウン、撮像素子２１からの画像の取り込み、記録媒体１０７への記録等の一連の撮影処理を実行する（Ｓ２０）。このときは、閃光モードではないため、メイン制御装置１０１は、ライト制御部５３に対して、充電開始信号ＳＧ１、発光信号ＳＧ２は送らず、スピードライト５では充電や発光は行われない。撮影処理の後、Ｓ１７に進んで、撮影終了か否かを判断し、撮影継続と判断された場合（Ｎの場合）にはＳ１３に戻り、撮影終了と判断された場合、即ち、例えば、メインスイッチＳＷ１がオフされた場合や静止画撮影モードからリアルタイム画像表示モード（ライブビューモード）等の静止画撮影モード以外のモードに切り換えられた場合等には、一連の処理を終了する。
【００５６】
Ｓ１３において、閃光モードであると判断された場合（Ｙの場合）には、スピードライト５の充電に関する処理であるライト充電シーケンスを実行する（Ｓ１４）。ライト充電シーケンスは、図７に示されている。ライト充電シーケンスでは、まず、メイン制御装置１０１は、ライト制御部５３に充電開始信号ＳＧ１を送る（Ｓ２１）。この充電開始信号ＳＧ１を受けて、ライト制御部５３は、昇圧回路５６にコンデンサ５４へのライトバッテリ５５からの電力の供給を開始させ、これによりコンデンサ５４の充電が開始される（Ｓ２２）。
【００５７】
次いで、メイン制御装置１０１は、図２に示した第２ファインダ内表示装置４７による露出インジケータ７２の表示モードを充電経過表示モードに切り換える（Ｓ２３）。
【００５８】
この表示モードの切りかえは、図９に示されているように、第２ファインダ内表示装置４７による情報表示領域７０の露出インジケータ７２のセンタマーク７６を消灯する（同図では点線で示されている）とともに、露出インジケータ７２に隣接して、露出インジケータ７２が充電経過表示モードになっていることを示す「Ｃｈａｒｇｅ」の文字列からなるセグメント７７を点灯させることにより行う。なお、ここでは、このセグメント７７の点灯がない場合は、露出インジケータ７２は本来の露出表示モードとなっていることを意味する。但し、充電経過表示モードとの差別化のため、露出インジケータ７２が露出表示モードとなっている場合に、露出表示モードであることを示す、例えば「Ｅｘｐ．」等の文字列をセグメント表示するようにしてもよい。
【００５９】
次に、ライト制御部５３は分圧回路５８の検出端子における電圧を検出し、コンデンサ５４の放電時及びフル充電時の同電圧に基づいて、コンデンサ５４の現在の充電量を求めて、充電状態情報ＣＳ１としてメイン制御装置１０１に送り、メイン制御装置１０１は、この情報を取得する（Ｓ２４）。
【００６０】
メイン制御装置１０１は、ライト制御部５３から送られる充電状態情報ＣＳ１に基づいて、露出インジケータ７２に充電経過を表示する（Ｓ２５）。この充電経過の表示は、図９に示されているように、表示セグメント７３のマイナスマーク７４側の端部からその充電量に応じて順次隣接する表示セグメント７３を点灯させることにより行う。同図では、黒塗りされた表示セグメント７３は点灯状態を示しており、白抜きの表示セグメント７３は消灯状態を示している（後述する図１０及び図１１でも同じ）。
【００６１】
次いで、メイン制御装置１０１は充電状態情報ＣＳ１に基づいて、コンデンサ５４の充電が完了したか否かを判断し（Ｓ２６）、完了していないと判断された場合（Ｎの場合）にはＳ２４に戻って、更に充電状態情報取得（Ｓ２４）、充電経過表示（Ｓ２５）を充電が完了するまで繰り返し実行する。なお、Ｓ２６で充電が完了していないと判断された場合（Ｎの場合）には、設定に応じて、後述する露出変更割込シーケンス（Ｓ２８）を実施した後に、Ｓ２４に戻るようにしてもよい。
【００６２】
Ｓ２６で充電完了と判断された場合（Ｙの場合）には、露出インジケータ７２を充電経過表示モードから元の露出表示モードへと切り換えるとともに、現在の設定に基づく露出表示を行い（Ｓ２７）、図６のＳ１５へリターンする。充電経過表示モードからの露出表示モードへの切り換えは、センタマーク７６を点灯させるとともに、セグメント７７の文字列「Ｃｈａｒｇｅ」を消灯することにより行う。なお、Ｓ２６で充電完了と判断された場合には、充電完了を知らせるために従来から設けられている表示（充電完了ランプや充電完了マークの表示）を行うようにしても良い。
【００６３】
図７に示したライト充電シーケンスの実行により、スピードライト５のコンデンサ５４の充電状態に従って、図９、図１０、及び図１１に示すように、露出インジケータ７２の表示セグメント７３が、マイナスマーク７４側からプラスマーク７５側へ向かって順次点灯され、充電完了で全ての表示セグメント７３が点灯される。
【００６４】
このように、スピードライト５のコンデンサ５４の充電中には、第２ファインダ表示装置４７の情報表示領域７０内の露出インジケータ７２を充電経過表示モードに切り換えて、当該充電経過を表示するようにしたので、撮影者は、フル充電に対して現在の充電量又は今後充電すべき量がどのくらいの割合であるのかを一見して容易に認識することが可能となる。また、表示セグメント７３の点灯の進行速度から、あとどのくらいの時間で充電が完了するのかを容易に認識することもできる。従って、最適なタイミングでスピードライト５による発光を伴う撮影を行うことが可能となる。また、本来露出を表示するための露出インジケータ７２をスピードライト５のコンデンサ５４の充電経過の表示に兼用するようにしたので、充電経過表示用の表示部（インジケータ）を別途設ける必要がなく、露出インジケータを備える既存のシステムに容易に適用することが可能である。
【００６５】
なお、上述した説明では、コンデンサ５４の充電完了に伴い露出インジケータ７２を充電経過表示モードから露出表示モードに戻すようにしているが、充電経過表示モードをそのまま継続するようにしても勿論よい。充電完了後に、充電経過表示モードを継続するか、露出表示モードに戻すかを、撮影者による選択操作に応じて任意に変更設定できるようにしてもよい。
【００６６】
図６に戻り、ライト充電シーケンス（Ｓ１４）を実行した後、Ｓ１５において、レリーズスイッチＳＷ３がオン、即ちレリーズボタンの全押しがなされるまで待機し（Ｓ１５）、オンされた場合（Ｙの場合）には、クイックリターンミラー２４のミラーアップ、メカニカルシャッタ２３の作動、クイックリターンミラー２４のミラーダウン、撮像素子２１からの画像の取り込み、記録媒体１０７への記録等の一連の撮影処理を実行する（Ｓ１６）。このとき、メイン制御装置１０１は、適宜なタイミングでライト制御部５３へ発光指示信号ＳＧ２を送り、これに応じてライト制御部５３は発光制御回路５７を介して、キセノンランプ５０を発光させる。スピードライト５を発光させての撮影処理の後、Ｓ１７に進んで、撮影終了か否かを判断し、撮影継続と判断された場合（Ｎの場合）にはＳ１３に戻り、撮影終了と判断された場合（Ｙの場合）には、一連の処理を終了する。
【００６７】
次に、図７の露出変更割込シーケンス（Ｓ２８）について、図８を参照して説明する。図７のライト充電シーケンスにおいては、スピードライト５のコンデンサ５４の充電中は、第２ファインダ内表示装置４７による情報表示領域７０の露出インジケータ７２に、コンデンサ５４の充電経過の表示を行うようにしている。しかし、かかる充電中に、撮影準備のために露出の変更操作（シャッタスピードや絞り等の変更操作）が行われることがあり、露出表示が必要とされる場合がある。この場合には、図７のＳ２６で充電完了でないと判断された場合（Ｎの場合）に、この露出変更割込シーケンスを実行した後に、Ｓ３４に戻るようにするとよい。
【００６８】
図８において、まず、露出変更操作（シャッタスピードや絞りの変更等）が行われたか否かを判断し（Ｓ３１）、行われていないと判断した場合（Ｎの場合）にはそのまま図７のＳ２４にリターンし、行われていると判断した場合（Ｙの場合）には、露出インジケータ７２を充電経過表示モードから露出表示モードへと切り換えるとともに、現時点での設定及び測光素子４３による測光結果等に基づく露出表示を行う（Ｓ３２）。露出表示モードへの切り換えは、露出インジケータ７２のセンタマーク７６を点灯させるとともに、セグメント７７の文字列「Ｃｈａｒｇｅ」を消灯することにより行う。
【００６９】
次いで、再度、露出変更操作が行われたか否かを判断し（Ｓ３３）、行われていないと判断した場合（Ｎの場合）にはＳ３２に戻って露出表示を行い、行われていないと判断した場合（Ｙの場合）には、最後の露出変更操作から予め設定された所定時間が経過したか否かを判断する（Ｓ３４）。Ｓ３４で、所定時間が経過していないと判断した場合（Ｎの場合）にはＳ３３に戻り、所定時間が経過したと判断した場合（Ｙの場合）には、第２ファインダ内表示装置４７による情報表示領域７０の露出インジケータ７２を、再度、充電経過表示モードに切り換えるとともに、充電経過を表示し（Ｓ３５）、図７のＳ２４にリターンする。充電経過表示モードへの切り換えは、露出インジケータ７２のセンタマーク７６を消灯するとともに、セグメント７７の文字列「Ｃｈａｒｇｅ」を点灯させることにより行う。
【００７０】
図８に示した露出変更割込シーケンスを実行することにより、スピードライト５のコンデンサ５４の充電中は、原則的に、露出インジケータ７２に充電経過を表示するが、露出変更操作が行われることにより、露出表示に速やかに切り換えられるので、撮影者は当該露出表示を参考に適切な露出に調整することが可能になるとともに、所定時間の間、露出変更操作が行われなかった場合には、元の充電経過表示に戻るので、充電状況の確認と、最適なタイミングでの撮影を両立的に行うことが可能となる。
【００７１】
なお、ここでは、絞りの変更等の露出を変更する操作が行われた場合に、露出インジケータ７２を露出表示に戻すようにしたが、これに加えて、又はこれとは別に、カメラ１に操作部の一つとして設けられている、露出表示又は充電経過表示を切り換えるための表示切換ボタンの押下が表示切換スイッチＳＷ４により検出された場合に、表示の切り換えを行うようにしてもよい。このようにすることにより、撮影者が必要に応じて任意のタイミングで表示を変更することができ、便宜である。この表示切換ボタンは、充電経過表示中に押下されると、露出表示に切り換え、露出表示中に押下されると、充電経過表示に切り換えるようにするとよい。
【００７２】
また、図６のフローチャートでは、スピードライト５の発光を伴う撮影を行う場合には、ライト充電シーケンスＳ１４を実行した後、即ちスピードライト５のコンデンサ５４の充電完了後に、レリーズの判断（Ｓ１５）、撮影処理（Ｓ１６）が行われるものとしている。従って、充電完了前には、レリーズ（レリーズボタンの全押し）しても撮影処理は行われず、スピードライト５の光量不足による撮影が防止されている。しかし、撮影者あるいは撮影状況によっては、充電完了前であっても、撮影をしたいと考える場合があり得るので、これに対応するため、レリーズの判断（Ｓ１５）及び撮影処理（Ｓ１６）と同様の処理を、図４の充電開始（Ｓ２１）から充電完了（Ｓ２６）に至るまでの間に挿入することによって、この期間（充電完了前）においても撮影が可能となるようにしてもよい。この場合に、充電完了前の撮影を許容するかどうかを予め撮影者の選択に応じて設定しておくようにしてもよい。
【００７３】
次に、本発明の他の実施形態として、上述した実施形態の変形例について説明する。
【００７４】
（第１変形例）
上述した実施形態では、第２ファインダ内表示装置４７による情報表示領域７０に設定されている露出インジケータ７２の各表示セグメント７３は、互いに同一の色彩で点灯するものである。しかし、これをスピードライト５のコンデンサ５４の充電経過表示用として用いる場合には、人間の視覚に関する人間工学的観点（生理学的、心理学的側面）からは同一色よりも、充電の段階に応じて色分けして表示した方が、充電状況をより的確に把握することが可能である。
【００７５】
このような観点からは、図１２に示すように、充電初期の段階では充電が不完全な状態であることを示す赤色で、充電中期の段階では充電が不完全ではないが十分ではない状態であることを示す黄色で、充電後期の段階では充電が完全又は完全とまではいかないがそれに近い状態であることを示す青色で表示することが望ましい。但し、このような赤色、黄色、青色の色分けは一例であり、人間光学的に他の色分け（色彩）を用いても勿論よい。なお、同一のインジケータで露出表示と充電経過表示とを兼用して行う場合には、インジケータを構成する各セグメントが２色以上の色彩を切り換えて表示可能なものを用いるとよい。即ち、露出表示を行う場合には各セグメントを単一色で点灯させ、充電経過表示を行う場合には、上述のような色分け点灯を行う。なお、色分けは赤色、黄色、青色の３色に限らず、２色でも４色以上でもよい。
【００７６】
（第２変形例）
上述した実施形態では、第２ファインダ内表示装置４７による情報表示領域７０に設定されている露出インジケータ７２の一部のセグメント（センタマーク７６、セグメント７７）を点灯又は消灯して、露出表示モードから充電経過表示モードに切り換えることにより、露出インジケータ７２を兼用して用いるようにしたが、露出インジケータ７２とは別に、充電経過表示専用のインジケータを設けてもよい。
【００７７】
コスト低減の観点からは、上述した実施形態のように、露出インジケータ７２を露出表示と充電経過表示とで兼用する方が有利ではあるが、露出表示と充電経過表示とを両方常に確認したいという要請もあり得る。このような場合には、図１３に示されているように、例えば、露出インジケータ７２に隣接して、露出インジケータ７２の表示セグメント７３と同様な複数の表示セグメントを有する充電経過表示インジケータ９２を別途設けるとよい。
【００７８】
この場合には、充電経過表示インジケータ９２としては、上述した第１変形例のように、赤色、黄色、青色等の色分け点灯とするとよい。このようにすることにより、露出表示と充電経過表示とを同時に確認することができるとともに、露出インジケータ７２として同一色の単色発光のセグメントを、充電経過表示インジケータ９２として、各色毎に、単色発光のセグメントを用いることができ、上述した第１変形例のように、多色発光のセグメントを用いる必要がないという利点がある。
【００７９】
（第３変形例）
上述した実施形態では、第２ファインダ内表示装置４７による情報表示領域７０の露出インジケータ７２を露出表示と充電経過表示とで兼用して用いるものであったが、露出インジケータ７２を充電経過表示用以外の情報表示インジケータとして兼用するようにしてもよい。
【００８０】
例えば、図１４には、露出インジケータ７２をスピードライト５のライトバッテリ５５の残量インジケータとして用いる場合の例が示されている。この場合には、露出表示からバッテリ残量表示に切り換える際には、センタマーク７６を消灯する（同図には点線で示されている）とともに、露出インジケータ７２に隣接して、「Ｂａｔｔｅｒｙ」の文字列からなるセグメント７８を点灯させることにより行う。なお、ここでも、このセグメント７８の点灯がない場合は、露出インジケータ７２は本来の露出表示モードとなっていることを意味する。但し、バッテリ残量表示モードとの差別化のため、露出インジケータ７２に露出表示を行っている場合に、露出表示を示す、例えば「Ｅｘｐ．」等の文字列をセグメント表示するようにしてもよい。
【００８１】
露出表示からバッテリ残量表示への切り換えは、例えば、専用のボタンを設けて、その押下により行うようにできる。なお、このバッテリ残量表示としては、スピードライト５のバッテリの残量表示のみならず、カメラ１のバッテリの残量表示としてもよい。また、スピードライト５又はカメラ１のバッテリが充電式である場合には、該バッテリの充電経過を表示するようにしてもよい。更に、露出インジケータ７２を露出表示とバッテリ残量表示とで切り換えるのみならず、露出表示と、コンデンサの充電経過表示と、バッテリ残量表示とで切り換えて用いるようにしてもよい。
【００８２】
（その他の変形例）
上述した実施形態に追加して、メイン制御装置１０１がコンデンサ５４の充電開始から充電完了に至るまでの時間を計測し、充電完了までに予め決められた所定時間以上を要した場合に、ライトバッテリ５５の残量が僅少であることを判断し、ライトバッテリ５５を交換すべきことを意味するバッテリ交換マークを、第２ファインダ内表示装置４７による情報表示領域７０等に表示するようにできる。
【００８３】
この場合に、ライト制御部５３から送られる充電状態情報ＣＳ１に基づいて、メイン制御装置１０１がコンデンサ５４への充電率（単位時間あたりの充電量）を算出して、スピードライト５のバッテリ５５の残量を推測して、残量が僅少である場合にバッテリ交換マークを表示し、あるいは露出インジケータ７２等を用いてバッテリ残量を表示するようにしてもよい。
【００８４】
上述した実施形態では、第２ファイン内表示装置４７によって情報表示領域７０に表示される露出インジケータ７２を用いて、スピードライト５のコンデンサ５４の充電経過を表示する場合を説明した。従って、撮影者はファインダ４の観察窓から目を離さずに、充電経過を確認することができる。また、撮影者がファインダ４の観察窓から目を離している場合には、情報表示パネル２９の露出インジケータ８２にも同様に充電経過が表示されているので、この場合にもスピードライト５のコンデンサ５４の充電経過を確認することができる。
【００８５】
但し、第２ファインダ内表示装置４７による露出インジケータ７２と、情報表示パネル２９の露出インジケータ８２との一方のみを充電経過の表示と兼用するようにしてもよい。このようにすることにより、一方の露出インジケータが充電経過表示モードとなっても、他方の露出インジケータは露出表示モードのままであるため、常に双方を確認することができる。充電経過表示と兼用する露出インジケータとして、第２ファインダ内表示装置４７による露出インジケータ７２と、情報表示パネル２９の露出インジケータ８２との何れを用いるか、又は双方を用いるかを、撮影者による選択操作に応じて切り換えるようにしてもよい。
【００８６】
また、第１ファインダ内表示装置４６によって、ファインダ４内の撮像領域６０に重畳させて同様な露出インジケータを表示する場合には、該露出インジケータを用いて、スピードライト５のコンデンサ５４の充電経過等を表示するようにしてもよい。画像表示モニタ２８に同様の露出インジケータを表示する場合には、該露出インジケータを用いて、スピードライト５のコンデンサ５４の充電経過等を表示するようにしてもよい。
【００８７】
また、カメラ１を有線又は無線等を用いて表示ディスプレイを備える情報処理装置（パーソナルコンピュータ等）に接続し、該表示ディスプレイに、同様の露出インジケータを表示する場合には、該露出インジケータを用いて、該充電経過を表示するようにしてもよい。なお、スピードライト５として、背面に表示ディスプレイ（不図示）をもつスピードライトを使用する場合において、上述と同様の露出（又は発光量）インジケータ表示を行う場合や、あるいは既述のカメラ背面の画像表示モニタ２８に、上述と同様な露出インジケータ表示をする場合にも、その露出インジケータを用いて上述の一連の充電経過を表示するようにしても良い。
【００８８】
さらに、露出インジケータの構成は、図２等に示したものに限定されず、棒グラフのようなインジケータのみならず、円グラフ（又は半円グラフ）のようなインジケータ、その他の構成を有するインジケータであってもよい。
【００８９】
また、第２ファインダ内表示装置４７のようなデジタル式のセグメント液晶表示装置を用いて露出インジケータを表示するのではなく、電気制御可能な従来から用いられている指針揺動型等のアナログ式の露出インジケータを用いる場合には、該アナログ式の露出インジケータを用いて、スピードライト５のコンデンサ５４の充電経過を表示するようにしてもよい。なお、本発明は、レンズ交換式の一眼レフカメラだけでなく、上述したような露出インジケータ表示が可能なものであれば、レンズ一体型のカメラにも適用できるものである。
【００９０】
以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００９１】
【図１】本発明の実施形態のカメラシステムの概略構成を示す断面図である。
【図２】本発明の実施形態のファインダ内表示の一例を示す図である。
【図３】本発明の実施形態の情報表示パネルの表示の一例を示す図である。
【図４】本発明の実施形態のスピードライトの制御系の構成示す回路図である。
【図５】本発明の実施形態のカメラの制御系の構成を示すブロック図である。
【図６】本発明の実施形態の静止画の撮影に関する処理を示すフローチャートである。
【図７】本発明の実施形態のスピードライトの充電処理に関する処理を示すフローチャートである。
【図８】本発明の実施形態の充電経過表示中に露出を変更する操作があった場合の処理を示すフローチャートである。
【図９】本発明の実施形態の露出インジケータの充電経過表示（充電初期）を示す図である。
【図１０】本発明の実施形態の露出インジケータの充電経過表示（充電中期）を示す図である。
【図１１】本発明の実施形態の露出インジケータの充電経過表示（充電完了）を示す図である。
【図１２】本発明の他の実施形態の露出インジケータの充電経過表示（変形例１）を示す図である。
【図１３】本発明の他の実施形態の露出インジケータの充電経過表示（変形例２）を示す図である。
【図１４】本発明の他の実施形態の露出インジケータの充電経過表示（変形例３）を示す図である。
【符号の説明】
【００９２】
１…カメラ、２…カメラ本体、３…撮影レンズ、４…ファインダ、５…スピードライト、２１…撮像素子、２３…メカニカルシャッタ、２４…クイックリターンミラー、２８…画像表示モニタ、２９…情報表示パネル、３４…絞り、４０…ライトマウント、４３…測光素子、４６…第１ファインダ内表示装置、４７…第２ファインダ内表示装置、５０…キセノンランプ、５１…リフレクタ、５２…フレネルレンズ、５３…ライト制御部、５４…コンデンサ、５５…ライトバッテリ、５７…発光制御回路、５８…分圧回路、６０…撮影領域、７０…情報表示領域、７２…露出インジケータ、７３…表示セグメント、７４…マイナスマーク、７５…プラスマーク、７６…センタマーク、８０…情報表示パネル、８２…露出インジケータ、８３…表示セグメント、８４…マイナスマーク、８５…プラスマーク、８６…センタマーク、１０１…メイン制御装置。
【図１】
2008309840.tif 000003
【図２】
2008309840.tif 000004
【図３】
2008309840.tif 000005
【図４】
2008309840.tif 000006
【図５】
2008309840.tif 000007
【図６】
2008309840.tif 000008
【図７】
2008309840.tif 000009
【図８】
2008309840.tif 000010
【図９】
2008309840.tif 000011
【図１０】
2008309840.tif 000012
【図１１】
2008309840.tif 000013
【図１２】
2008309840.tif 000014
【図１３】
2008309840.tif 000015
【図１４】
2008309840.tif 000016